(57)【要約】【課題】各レーザ素子の使用頻度を均一にでき、劣化の割合を最小限に抑えられた複数のレーザ素子を有する定着装置を提供する。【解決手段】搬送される記録媒体にレーザ光を照射して未定着トナー像を記録媒体に加熱定着させるレーザヘッドＬ１を備える定着装置であって、レーザヘッドＬ１は、複数のレーザ素子１１と、複数の凸レンズ８と、凸レンズ８を固定するレンズホルダー７と、複数のレーザ素子を電気的に接続する電極付きシリコン基板３と、レーザ素子１１の光を受光する受光素子と、受光素子からの信号に基づき複数のレーザ素子１１を制御する制御部と、複数のレーザ素子から発生する熱を放熱する放熱版９とを備え、前記レーザ光を出射する複数のレーザ素子１１が、記録媒体が搬送される方向と直交する方向に列状に配され、サイズの大きさの異なる記録媒体に対して共通して使用する複数のレーザ素子１１と、共通して使用しない複数のレーザ素子１１とは異なった密集率で配置され、動作が異なるように制御される。【選択図】図３
2011085785.tif 000002
【特許請求の範囲】
【請求項１】
搬送される記録媒体にレーザ光を照射して未定着トナー像を記録媒体に加熱定着させるレーザ照射手段を備える定着装置であって、
前記レーザ照射手段は、
前記レーザ光を出射する複数のレーザ素子が、前記記録媒体が搬送される方向と直交する方向に列状に配され、サイズの大きさの異なる前記記録媒体に対して共通して使用する前記複数のレーザ素子と、共通して使用しない前記複数のレーザ素子とは異なった密集率で配置され、動作が異なるように制御されることを特徴とする定着装置。
【請求項２】
前記レーザ照射手段において、所定のサイズの記録媒体と、前記所定のサイズより小さいサイズの記録媒体と、に共通して使用される前記複数のレーザ素子のピッチは、所定のサイズの記録媒体にのみ使用される前記複数のレーザ素子のピッチと異なることを特徴とする請求項１に記載の定着装置。
【請求項３】
前記レーザ照射手段において、所定のサイズの記録媒体と、前記所定のサイズより小さいサイズの記録媒体と、に共通して使用される前記複数のレーザ素子のそれぞれの消費電力は、所定のサイズの記録媒体にのみ使用される前記複数のレーザ素子のそれぞれの消費電力と異なることを特徴とする請求項１または２に記載の定着装置。
【請求項４】
前記レーザ照射手段において、所定のサイズの記録媒体と、前記所定のサイズより小さいサイズの記録媒体と、に共通して使用される前記複数のレーザ素子の点灯時間は、所定のサイズの記録媒体にのみ使用される前記複数のレーザ素子の点灯時間と異なるように制御されることを特徴とする請求項１から３の何れかに記載の定着装置。
【請求項５】
前記レーザ照射手段において、所定のサイズの記録媒体と、前記所定のサイズより小さいサイズの記録媒体と、に共通して使用される前記複数のレーザ素子の列の数は、所定のサイズの記録媒体にのみ使用される前記複数のレーザ素子の列の数と異なることを特徴とする請求項１から４の何れか１項に記載の定着装置。
【請求項６】
レーザ光を偏向走査する光走査装置と、
前記光走査装置による前記レーザ光の照射により静電潜像が形成される感光体ドラムと、
前記感光体ドラムに形成された前記静電潜像に、現像剤を付着させることによって現像する現像手段と、
前記現像手段により付着された前記現像剤を被記録媒体に転写する転写手段と、
を備えた画像形成装置において、
前記定着装置は、請求項１から５のいずれか１項に記載の定着装置を用いることを特徴とする画像形成装置。
【発明の詳細な説明】
【技術分野】
【０００１】
本発明は、複写機やプリンタ、ファクシミリ等の電子写真方式の画像形成装置に係り、より詳細には、記録部材上に形成された未定着画像をレーザ光の照射によりトナーを溶融して定着を行う定着装置、およびこれを備えた画像形成装置に関する。
【背景技術】
【０００２】
電子写真方式の画像形成装置（例えば、プリンタ等）には、記録部材（記録紙または用紙）上に形成されたトナー像を熱溶融することによって用紙上に定着させる定着装置が備えられている。この定着装置の一例として、特許文献１に示されているように、定着ローラと加圧ローラとから構成されるローラ対方式の定着装置が知られている。
【０００３】
定着ローラは、アルミ等の金属性中空芯金の表面に弾性層が形成されたローラ部材であり、この芯金の内部に熱源としてハロゲンランプが配置された構成である。そして温度制御装置が、定着ローラの表面に設けられた温度検出手段から出力される信号に基づいてハロゲンランプをオン／オフ制御することによって、定着ローラ表面の温度を制御する。
【０００４】
加圧ローラは、芯金上に被覆層としてシリコンゴム等の耐熱性弾性層を設けたローラ部材である。この加圧ローラは、定着ローラ周面に対して圧接され、加圧ローラの上記弾性層の弾性変形によって、定着ローラと加圧ローラとの間にニップ領域が形成される。
【０００５】
上記構成において、定着装置では、未定着のトナー像が形成された用紙を定着ローラと加圧ローラとの間のニップ領域に挟み込み、これら両ローラを回転させることによって上記用紙を搬送するとともに、定着ローラ周面の熱により用紙上のトナー像を溶融させて用紙に定着させる。
【０００６】
しかし、従来のローラ対方式は、朝一電源投入後は、定着ローラおよび加圧ローラは、温室状態にあるため、電源オン後に所定の温度にまで上昇させる必要があるため、ウォームアップ時間を要する。また、コピー動作が行われていない大気状態では、ローラ表面を所定温度に保持する必要があるため、コピー動作が行われていない時も、常に加圧していなければならず、コピー動作以外に無駄なエネルギーを消費する。
【０００７】
そこで、無駄なエネルギーを消費せず効率よくトナーのみを定着させる方法として、特許文献２にあるようなレーザ光を利用して定着させる定着装置が提案されている。
【０００８】
特許文献２によれば、複数のレーザ光を用いてトナーを加熱することで、単数のレーザ光では不十分な定着性を複数のレーザ光を用いることで定着性を向上させている。これにより、低出力で安価なレーザ光源装置を使用することが可能となり、装置全体も簡易化された構成を成すことができると記載されている。
【先行技術文献】
【特許文献】
【０００９】
【特許文献１】特開平１１−３８８０２号公報
【特許文献２】特開平７−１９１５６０号公報
【発明の概要】
【発明が解決しようとする課題】
【００１０】
しかしながら、特許文献２の複数のレーザ素子は、単に均等な間隔で配置されているが、様々なサイズの用紙に対応して、レーザ素子の劣化を必要最小限にする措置は取られておらず、異なるサイズの用紙に共通して使用されるレーザ素子は、使用頻度が高いため早く故障し、レーザ照射が不能となり定着装置として製品寿命が短くなるという課題がある。
【００１１】
本発明は、上述のごとき実情に鑑みてなれたもので、異なるサイズの用紙を定着する際に、共通して使用される領域にある複数のレーザ素子を、共通に使用されない領域にある複数のレーザ素子よりも密に配置し、各々のレーザ素子の出力または点灯時間を領域ごとに異なって変化させることで、レーザ素子の稼働を減らし、レーザ素子の劣化を最小限に抑えることができ、寿命の長いレーザ素子を有する定着装置及びこれを備える画像形成装置を提供することを目的とするものである。
【課題を解決するための手段】
【００１２】
上述した課題を解決するために本発明に係る定着装置及びこれを備えた画像形成装置の各構成は、次の通りである。
【００１３】
本発明の定着装置は、搬送される記録媒体にレーザ光を照射して未定着トナー像を記録媒体に加熱定着させるレーザ照射手段を備える定着装置であって、前記レーザ照射手段は、前記レーザ光を出射する複数のレーザ素子が、前記記録媒体が搬送される方向と直交する方向に列状に配され、サイズの大きさの異なる前記記録媒体に対して共通して使用する前記複数のレーザ素子と、共通して使用しない前記複数のレーザ素子とは異なった密集率で配置され、動作が異なるように制御されることを特徴とするものである。
【００１４】
また、前記定着装置は、所定のサイズの記録媒体と、前記所定のサイズより小さいサイズの記録媒体と、に共通して使用される前記複数のレーザ素子のピッチは、所定のサイズの記録媒体にのみ使用される前記複数のレーザ素子のピッチと異なることを特徴とするものである。
【００１５】
また、前記定着装置は、所定のサイズの記録媒体と、前記所定のサイズより小さいサイズの記録媒体と、に共通して使用される前記複数のレーザ素子のそれぞれの消費電力は、所定のサイズの記録媒体にのみ使用される前記複数のレーザ素子のそれぞれの消費電力と異なることを特徴とするものである。
【００１６】
また、前記定着装置は、所定のサイズの記録媒体と、前記所定のサイズより小さいサイズの記録媒体と、に共通して使用される前記複数のレーザ素子の点灯時間は、所定のサイズの記録媒体にのみ使用される前記複数のレーザ素子の点灯時間と異なるように制御されることを特徴とするものである。
【００１７】
また、前記定着装置は、所定のサイズの記録媒体と、前記所定のサイズより小さいサイズの記録媒体と、に共通して使用される前記複数のレーザ素子の列の数は、所定のサイズの記録媒体にのみ使用される前記複数のレーザ素子の列の数と異なることを特徴とするものである。
【００１８】
また、本発明の画像形成装置は、レーザ光を偏向走査する光走査装置と、前記光走査装置による前記レーザ光の照射により静電潜像が形成される感光体ドラムと、前記感光体ドラムに形成された前記静電潜像に、現像剤を付着させることによって現像する現像手段と、前記現像手段により付着された前記現像剤を被記録媒体に転写する転写手段とを備え、前記定着装置を用いることを特徴とするものである。
【発明の効果】
【００１９】
本発明によれば、搬送される記録媒体にレーザ光を照射して未定着トナー像を記録媒体に加熱定着させるレーザ照射手段を備える定着装置であって、前記レーザ照射手段は、前記レーザ光を出射する複数のレーザ素子が、前記記録媒体が搬送される方向と直交する方向に列状に配され、サイズの大きさの異なる前記記録媒体に対して共通して使用する前記複数のレーザ素子と、共通して使用しない前記複数のレーザ素子とは異なった密集率で配置され、動作が異なるように制御されることで、各レーザ素子の使用頻度を均一にでき、劣化の割合を最小限に抑えられた複数のレーザ素子を有する定着装置を実現できるという優れた効果を奏し得る。
【００２０】
本発明によれば、前記定着装置は、所定のサイズの記録媒体と、前記所定のサイズより小さいサイズの記録媒体と、に共通して使用される前記複数のレーザ素子のそれぞれの消費電力は、所定のサイズの記録媒体にのみ使用される前記複数のレーザ素子のそれぞれの消費電力と異なることで、異なるサイズの用紙を定着する際に共通して使用される領域の複数のレーザ素子の消費電力を下げることができ、レーザ素子の劣化を最小限に抑えることができるという優れた効果を奏し得る。
【００２１】
本発明によれば、前記定着装置は、所定のサイズの記録媒体と、前記所定のサイズより小さいサイズの記録媒体と、に共通して使用される前記複数のレーザ素子のピッチは、所定のサイズの記録媒体にのみ使用される前記複数のレーザ素子のピッチと異なることで、異なるサイズの用紙を定着する際に、共通して使用される領域の複数のレーザ素子を、共通に使用されない領域の複数のレーザ素子よりも密に配置でき、各々のレーザ素子の点灯時間や出力を領域ごとに異なって変化させることで、レーザ素子の劣化を最小限に抑えることができるという優れた効果を奏し得る。
【００２２】
本発明によれば、前記定着装置は、所定のサイズの記録媒体と、前記所定のサイズより小さいサイズの記録媒体と、に共通して使用される前記複数のレーザ素子の点灯時間は、所定のサイズの記録媒体にのみ使用される前記複数のレーザ素子の点灯時間と異なるように制御されることで、異なるサイズの用紙を定着する際に、共通して使用される領域の複数のレーザ素子の点灯時間を、共通に使用されない領域の複数のレーザ素子の点灯時間よりも短くし、頻繁に使用されるレーザ素子の劣化を最小限に抑えることができるという優れた効果を奏し得る。
【００２３】
本発明によれば、前記定着装置は、所定のサイズの記録媒体と、前記所定のサイズより小さいサイズの記録媒体と、に共通して使用される前記複数のレーザ素子の列の数は、所定のサイズの記録媒体にのみ使用される前記複数のレーザ素子の列の数と異なることで、各々のレーザ素子の正味の総点灯時間を均一にすることができ、レーザ素子の劣化を最小限に抑えることができるという優れた効果を奏し得る。
【００２４】
本発明によれば、本発明の画像形成装置は、レーザ光を偏向走査する光走査装置と、前記光走査装置による前記レーザ光の照射により静電潜像が形成される感光体ドラムと、前記感光体ドラムに形成された前記静電潜像に、現像剤を付着させることによって現像する現像手段と、前記現像手段により付着された前記現像剤を被記録媒体に転写する転写手段とを備え、前記定着装置を用いることで、定着ムラの無い画像形成を行うことができるという優れた効果を奏し得る。
【図面の簡単な説明】
【００２５】
【図１】本発明の実施形態に係る定着装置を備えた画像形成装置の構成を示す概略図である。
【図２】本発明の実施形態に係る定着装置の概略図である。
【図３】本発明の第１の実施形態に係るレーザヘッド部の正面図である。
【図４】本発明の第１の実施形態に係るレーザヘッド部の側面図である。
【図５】本実施形態に係る画像形成装置の制御部のブロック図である。
【図６】本発明の第２の実施形態に係るレーザヘッド部の正面図である。
【図７】本発明の第２の実施形態に係るレーザヘッド部の上面図である。
【発明を実施するための形態】
【００２６】
次に、本発明の実施形態に係る定着装置を備える画像形成装置を説明する。尚、本実施形態では、画像形成装置をカラー複合機に適用した場合である。
＜第1の実施形態＞
【００２７】
図１は、本発明の実施形態に係る定着装置を備えた画像形成装置１００の構成を示す概略図である。図２は、本発明の実施形態に係る定着装置の概略図である。図３は、本発明の第１の実施形態に係るレーザヘッド部の正面図である。図４は、本発明の第１の実施形態に係るレーザデッド部の側面図である。図５は、本実施形態に係る画像形成装置の制御部のブロック図である。
【００２８】
本実施形態に係る画像形成装置１００は、図１に示すように、読み取った原稿の画像やネットワーク等を介して外部から送信された画像データに基づいて記録部材（用紙）に対して多色および単色の画像を形成する。
【００２９】
本実施形態に係る画像形成装置１００は、光学系ユニットＥ、４組の可視画像形成ユニット２１ａ〜２１ｄ、中間転写ベルト１２、２次転写ユニット１４、定着装置１、スキャナ画像読取部（図示せず）、内部給紙ユニット１６および手差し給紙トレイ１７を備えている。
【００３０】
本実施形態に係る画像形成装置１００において扱われるカラー画像の画像データは、ブラック（Ｋ）、シアン（Ｃ）、マセンタ（Ｍ）、およびイエロー（Ｙ）の４色の各色相に対応した画像データを用いて、可視画像形成ユニット２１ａ〜２１ｄで可視画像の形成を行う。各色を用いたカラー画像に応じたものである。従って、感光体ドラム１０１（１０１ａ〜１０１ｄ）、帯電ユニット１０３（１０３ａ〜１０３ｄ）、現像ユニット１０２（１０２ａ〜１０２ｄ）、クリーニングユニット１０４（１０４ａ〜１０４ｄ）、１次転写ユニット１３（１３ａ〜１３ｄ）は、各色に応じた４種類の潜像を形成するように、それぞれ４個ずつ設けられている。
【００３１】
次に、本実施形態に係る画像形成装置１００に係る各構成要素を順次説明する。
【００３２】
スキャナ画像読取装置（図示せず）は、画像形成装置１００の上部に配置され、原稿の画像を読み取る。さらに、制御部２４内の画像処理部２５は、読み取った原稿画像を適正な電気信号に変換して各色の画像データを形成する。
【００３３】
光学系ユニットＥ（露光ユニット）は、読み取った各色の画像データに応じてレーザ光を照射する複数の光源４１、光源４１から射出されたレーザ光を反射偏向することによって当該レーザ光を走査するポリゴンミラー（図示せず）、レーザ光を集束させ、細長い線像にするための光学部品である複数のレンズ（図示せず）、複数の反射ミラー４２、およびレーザ光を検知し水平同期信号を出力するＢＤセンサ（図示せず）等を備えている。
【００３４】
光学系ユニットＥは、入力された画像データに応じて、帯電ユニット１０３によって均一に帯電された感光体ドラム１０１の外周面を露光することによって、感光体ドラム１０１の外周面に上記入力画像データに応じた静電潜像を形成するものである。
【００３５】
光学系ユニットＥの光源４１において、レーザダイオードが使用されているが、代わりにＥＬ（Electro  Luminescence）、ＬＥＤ（Light  Emitting  Diode）等の発光素子をアレイ状に並べた書込ヘッドを用いる構成であっても良い。
【００３６】
可視画像形成ユニット２１ａ〜２１ｄは、それぞれ同等の構成である。例えば、ブラックの可視画像形成ユニット２１ａは、感光体ドラム１０１ａ、帯電ユニット１０３ａ、現像ユニット１０２ａ、クリーニングユニット１０４ａ、１次転写ユニット１３ａ等から構成されている。
【００３７】
可視画像形成ユニット２１ａ〜２１ｄは、中間転写ベルト１２の移動方向（副走査方向）に一列に配置されている。尚、上記ａ〜ｄの符号において、ａはブラックに、ｂはシアンに、ｃはマセンタに、ｄはイエローに対応し、これら符号によって区別された上記の各手段により、４つの可視画像形成部が構成されている。
【００３８】
感光体ドラム１０１は、光学系ユニットＥの上方に配設され、略円筒状の像担持体である。感光体ドラム１０１は、図示しない駆動手段と制御手段により所定の方向（副走査方向）に回転するように制御される。
【００３９】
感光体ドラム１０１は、基材上に光導電層が形成されて構成されている。例えば、アルミニウム等で作製された金属ドラムを基材として、その外周面に、アモルファスシリコン（ａ−Ｓｉ）、セレン（Ｓｅ）や有機光半導体（ＯＰＣ）等の光導電層が薄膜状に形成されている。尚、感光体ドラム１０１の構成は、上述の構成に限定されない。
【００４０】
帯電ユニット１０３ａは、感光体ドラム１０１ａの外周面を所定の電位に均一に帯電させるための帯電手段である。帯電ユニット１０３ａは、感光体ドラム１０１ａを挟んで１次転写ユニット１３ａが配置する位置と略反対側で感光体ドラム１０１ａの外周面に接触するように配置されている。尚、本実施形態では帯電ユニット１０３ａとしてチャージ型帯電器を用いているが、チャージ型帯電器の代わりにローラ型帯電ユニット、ブラシ型帯電ユニットを用いてもよい。
【００４１】
現像ユニット１０２ａは、静電潜像が形成された感光体ドラム１０１ａの表面にトナーを供給し、静電潜像をトナー像に現像する。現像ユニット１０２ａ〜１０２ｄのそれぞれは、ブラック、シアン、マセンタ、およびイエローの各色相のトナーを収納している。また、各現像ユニット１０２ａ〜１０２ｄは、形成された各色相の静電潜像を、対応する各色相のトナー像に顕著化する。
【００４２】
クリーニングユニット１０４（１０４ａ〜１０４ｄ）は、現像・画像転写後における感光体ドラム１０１上の表面に残留したトナーを潤滑剤等によって除去・回収する。
【００４３】
１次転写ユニット１３ａ〜１３ｄは、感光体ドラム１０１ａ〜１０１ｄの表面に担持されたトナー像を中間転写ベルト１２上に転写する。各１次転写ユニット１３ａ〜１３ｄは、トナーの帯電極性と逆極性の１次転写バイアスが定電圧制御によって印加される。この印加によって、感光体ドラム１０１ａ〜１０１ｄに形成された各色相のトナー像は、中間転写ベルト１２の外周面に順次重ねて転写され、中間転写ベルト１２の外周面にフルカラーのトナー像が形成される。
【００４４】
１次転写ユニット１３ａ〜１３ｄは、中間転写ベルト１２内側面に押圧して、該中間転写ベルト１２の外側面が感光体ドラム１０１の外周面の一部を巻回して所定のニップ量を得るように設けられている。これによって、感光体ドラム１０１と中間転写ベルト１２との接触領域である画像転写部（転写ニップ部）は、線形状ではなく、所定幅を有する面形状になっている。それゆえ、搬送される記録媒体（用紙）への転写効率の向上が図られる。
【００４５】
また、ブラック、シアン、マゼンタ、およびイエローの色相の一部のみの画像データが入力された場合は、４つの感光体ドラム１０１ａ〜１０１ｄのうち、入力された画像データの色相に対応する一部の感光体ドラムのみにおいて、静電潜像およびトナー像の形成が行われる。例えば、モノクロ画像形成時には、ブラックの色相に対応した感光体ドラム１０１ａのみにおいて静電潜像の形成およびトナー像の形成が行われる。また、中間転写ベルト１２の外周面には、ブラックのトナー像のみが転写される。
【００４６】
１次転写ユニット１３ａ〜１３ｄは、直径８〜１０ｍｍの金属（例えば、ステンレス）を素材とする軸の表面を導電性の弾性材（例えば、ＥＰＤＭ，発泡ウレタン等）により被覆して構成されている。また、１次転写ユニット１３ａ〜１３ｄは、導電性の弾性材によって中間転写ベルト１２に均一に高電圧を印加する。本実施形態では、転写電極として１次転写ユニット１３ａ〜１３ｄを使用しているが、それ以外にブラシなども使用が可能である。
【００４７】
中間転写ベルト１２は、感光体ドラム１０１ａ〜１０１ｄの上方に配置され、その表面が感光体ドラム１０１ａ〜１０１ｄの外周面と接触するように構成されている。また、中間転写ベルト１２は、駆動ローラ１２ａと従動ローラ１２ｂとの間に張架されてループ状の移動経路を形成している。駆動ローラ１２ａの駆動力により副走査方向へ移動するように構成されている。
【００４８】
中間転写ベルト１２の外周面は、感光体ドラム１０１ｄ、感光体ドラム１０１ｃ、感光体ドラム１０１ｂ、および感光体ドラム１０１ａの順に対向する。この中間転写ベルト１２を挟んで各感光体ドラム１０１ａ〜１０１ｄに対向する位置に、１次転写ユニット１３ａ〜１３ｄが配置されている。中間転写ベルト１２が感光体ドラム１０１ａ〜１０１ｄに対向する位置のそれぞれが１次転写位置である。
【００４９】
また、中間転写ベルト１２は、厚さ１００μｍ〜１５０μｍ程度のフィルムを用いて無端状に形成されたベルト部材である。中間転写ベルト１２の材質は、主にポリイミド、ポリカーボネイト、サーモプラスティック・エラストマー・アロイ等が用いられている。
【００５０】
２次転写ユニット１４は、画像形成時において、内周面が駆動ローラ１２ａの周面に接触する中間転写ベルト１２の外周面に所定のニップ圧で圧接されている。当該ニップ圧を定常的に得るために、２次転写ユニット１４若しくは駆動ローラ１２ａの何れか一方は、金属等の硬質材料からなり、他方は、弾性ローラ等の軟質材料（弾性ゴムローラまたは発泡性樹脂ローラ等）からなる。
【００５１】
本実施形態に係る定着装置１は、記録媒体（用紙）の表面に形成された未定着のトナー画像を、熱によって記録媒体に定着させる。定着装置１は、２次転写ユニット１４の下流側に配置されている。
【００５２】
本実施形態の画像形成装置１００において、最大定着速度２２５ｍｍ／ｓｅｃ、最大複写速度５０枚／分（Ａ４横送り）で定着および搬送は行われるように制御される。尚、定着装置１の説明は、後に詳述する。
【００５３】
内部給紙ユニット１６は、画像形成に使用する記録用紙を収納するための給紙トレイ２６を備え、複数の記録媒体（用紙）が配置される。
【００５４】
給紙トレイ２６は、画像形成装置の仕様により規定されたサイズ、または利用者が予め定めたサイズの用紙を大量に収納することが可能な構成をとる。
【００５５】
給紙トレイ２６の一端部の上にはピックアップローラ１６ａが設けられて、給紙トレイ２６にセットされた用紙の最上部にある用紙の一端部の表面と接触して、ローラの摩擦抵抗により一枚ずつ確実に繰り出して搬送する。
【００５６】
さらに、画像形成装置１００の側面には、主に不定型サイズの用紙に対して印刷を行う際に用いられる手差し給紙トレイ１７が配置されている。
【００５７】
２次転写ユニット１４の下方にはレジストローラ１９が設けられている。レジストローラ１９は、内部給紙ユニット１６から給紙された用紙の先端と中間転写ベルト１２上のトナー像の先端とを整合して２次転写ユニット１４側へ搬送するように構成されている。
【００５８】
画像形成装置本体１００の上面には、排紙トレイ１８が設けられ、印刷済みの記録用紙がフェイスダウンで排出されて積載されるようになっている。
【００５９】
排紙ローラ１８ａは、正逆両方向に回転自在に配設され、用紙の片面を画像を形成する片面画像形成時、および用紙の両面に画像を形成する両面画像形成における第２面画像形成時に、正転方向に駆動されて用紙を排紙トレイ１８に排出する。
【００６０】
画像形成装置１００には、内部給紙ユニット１６に収納されている用紙を２次転写ローラ１４ａと中間転写ベルト１２との間および定着装置１を経由して排紙トレイ１８に送るための略垂直方向の用紙搬送路Ｒ１が設けられている。
【００６１】
搬送ローラｒは、記録媒体（用紙）の搬送を促進・補助するための小型ローラであり、用紙搬送路Ｒ１に沿って複数設けられている。
【００６２】
用紙搬送路Ｒ１には、ピックアップローラ１６ａ、搬送ローラｒ、レジストローラ１９および排紙ローラ１８ａが配置されている。
【００６３】
また、画像形成装置１００の内部には、手差し給紙トレイ１７からレジストローラ１９に至る間に、ピックアップローラ１７ａ搬送ローラｒを配置した用紙搬送路Ｒ２が形成されている。さらに、排紙ローラ１８ａから用紙搬送路Ｒ１におけるレジストローラ１９の上流側に至る間には、用紙搬送路Ｒ３が形成されている。
【００６４】
また、画像形成装置１００には、装置の動作を制御するための制御部２４が備えられる。制御部２４は、たとえば、マイクロコンピュータと、前記マイクロコンピュータが実行する処理の手順を示した制御プログラムを格納するＲＯＭ（Read Only Memory）と、作業用のワークエリアを提供するＲＡＭ（Random Access Memory）と、制御に必要なデータをバックアップして保持する不揮発性メモリと、センサやスイッチからの信号を入力する回路であって入力バッファやＡ／Ｄ変換回路を含む入力回路と、モータやソレノイドまたはランプなどを駆動するドライバを含む出力回路とから構成される。
【００６５】
また制御部２４は、図５に示すように、定着装置１の温度検出手段Ｌ３（サーミスタ）が検知した検知温度の信号を受信する。ＲＯＭは、定着装置１の温度検出手段Ｌ３（サーミスタ）からの検知温度の信号を温度データに変換する温度変換テーブルを有する。制御部２４は、定着装置１の温度検出手段Ｌ３（サーミスタ）が検知した検知温度の信号と、該温度変換テーブルとを照合し、検知温度に対応して定着装置のレーザ光の出力を調整する。
【００６６】
つぎに、本画像形成装置１００における画像形成の工程を説明する。
【００６７】
画像形成装置１００のパワースイッチが投入されると、帯電ユニット１０３ａは、感光体ドラム１０１ａの表面を一様に帯電する。制御部２４が画像形成を指示するコマンドを受信した場合、光学系ユニットＥにおいて、光源から出射されたレーザ光が感光体ドラム１０１ａに照射されて露光が行われる。感光体ドラム１０１ａ上には、入力された画像情報に基づいて静電潜像が形成される。同様に、その他の感光体ドラム１０１ｂ〜１０１ｄ上でも、各色に対応した静電潜像が形成される。
【００６８】
各現像ユニット１０２ａ〜１０２ｄは、各色に対応したトナーを供給して感光体ドラム１０１ａ〜１０１ｄ上に形成された各色相の静電潜像を対応する各色相のトナー像に顕著化する。
【００６９】
１次転写ユニット１３ａ〜１３ｄは、顕著化された各色相のトナー像を中間転写ベルト１２上に転写する。このため、１次転写ユニット１３ａ〜１３ｄには、トナーの帯電極性と逆極性の１次転写バイアスが印加される。
【００７０】
各色相トナー像は、中間転写ベルト１２上で積層され、中間転写ベルト１２の回転によって、２次転写ユニット１４と用紙との接触位置へ搬送される。
【００７１】
さらに、２次転写ユニット１４は、中間転写ベルト１２上の積層されたトナー像を、用紙に転写する。このため２次転写ユニット１４は、トナーの帯電極性と逆極性の高電圧が印加される。
【００７２】
可視画像としてトナー像が転写された用紙は、定着装置１に搬送される。定着装置１のレーザ光の照射により加熱されてトナー像が用紙に融着する。トナー像が融着した用紙は、排紙ローラ１８ａを通って排紙トレイ１８に排出される。
【００７３】
つぎに、画像形成装置１００において実行される用紙の搬送について詳細に説明する。
【００７４】
スキャナ画像読取部（図示せず）によって原稿が読み込まれ、画像形成コマンドを制御部２４が受信すると、入力された画像情報に基づき、給紙トレイ２６、手差し給紙トレイ１７のいずれかを選択する。制御部２４は、用紙搬送路Ｒ１、Ｐ２に沿って設けられている複数の搬送ローラｒを制御し、前記選択した給紙トレイに収納されている用紙をレジストローラ１９へ向けて搬送する。これにより、用紙はレジストローラ１９の手前に到達し一旦停止する。
【００７５】
制御部２４は、レジストローラ１９を再回転させることによって、用紙搬送路により搬送された用紙を一旦所定位置に停止させて次の搬送タイミングを計る。制御部２４は、２次転写ローラ１４ａと中間転写ベルト１２が圧接する位置において、用紙の先端部と中間転写ベルト１２上に形成されたトナー像の前端部との位置が合致するように用紙を２次転写ユニット１４に搬送する。
【００７６】
搬送された用紙は、２次転写ユニット１４で中間転写ベルト１２上のトナー像が転写され、更に定着装置１に搬送されて、用紙上の未定着トナーが熱で溶融して用紙に融着する。定着装置１を通過後は、自然に冷却されて用紙上に固着する。そして、用紙は、排紙ローラ１８ａを通って、排紙トレイ１８上に排出される。
【００７７】
次に、本発明の実施形態に係る定着装置１について、図２〜４を用いて詳細に説明する。
【００７８】
本実施形態に係る定着装置１は、図２に示すように、レーザヘッド（レーザ照射手段）Ｌ１と、用紙搬送装置Ｌ２と、温度検出手段Ｌ３（サーミスタ）とを備えている。
【００７９】
本実施形態に係る定着装置１は、記録媒体（用紙Ｐ）の表面に形成された未定着のトナー像に熱を加えることによって記録媒体に定着させる。
【００８０】
具体的には、所定の定着速度および複写速度に基づき、用紙搬送装置Ｌ２上のレーザ光が照射されるエリア（レーザ照射エリア１０）に、未定着トナー像４０を担持した記録媒体（用紙Ｐ）が搬送され、定着装置１からレーザ光が照射され、レーザ光の熱によって定着が行われる。
【００８１】
未定着のトナー像は、例えば、非磁性トナーを含む非磁性１成分現像剤、非磁性トナーおよびキャリアを含む非磁性２成分現像剤、磁性トナーを含む磁性現像剤などの現像液に含まれるトナーで形成される。そしてカラートナー（イエロー、マゼンタ、シアン）はモノクロトナー（ブラック）に比べてレーザ光の吸収率が低いことから、赤外線吸収剤を添加することでモノクロトナーと同じ吸着率を確保している。
【００８２】
用紙搬送装置Ｌ２は、定着駆動ローラ３３、定着従動ローラ３６、吸着チャージャ３７、分離チャージャ３０、除電チャージャ３４、分離爪３２、定着部モータ（図示せず）、および定着搬送ベルト３５とを備えている。
【００８３】
定着搬送ベルト３５は、ベルト厚７５μｍ、体積抵抗率１０１６Ω・ｃｍのポリイミド樹脂からなり、定着駆動ローラ３３と定着従動ローラ３６によって張架されている。
【００８４】
定着駆動ローラ３３は、定着部モータ（図示せず）により、任意の速度で回転駆動するように構成されている。また図２で示すように、定着駆動ローラ３３の回転により定着搬送ベルト３５は、矢印の方向に任意の速度で回転する。
【００８５】
また、定着搬送ベルト３５の周囲には、吸着チャージャ３７、分離チャージャ３０、除電チャージャ３４および分離爪３２が設けられている。
【００８６】
定着搬送ベルト３５の内周面側には、定着搬送ベルト３５の温度を検知するための温度検出手段Ｌ３（サーミスタ）が設置されている。この温度検出手段Ｌ３の検知温度に基づいて、レーザ光の照射量が制御される。該制御は後で詳述する。尚、サーミスタＬ３の配置位置は、搬送ベルト３５の温度若しくは、記録媒体（用紙Ｐ）の温度を適正に検知できるのであれば、定着搬送ベルト３５の内周面側に限定されない。
【００８７】
次に本発明の定着装置１における定着動作について、図２を参照して具体的に説明する。
【００８８】
定着装置１において、２次転写ユニット１４から搬送されてきた未定着トナー像４０が担持された記録媒体（用紙Ｐ）は、定着従動ローラ３６上の定着搬送ベルト３５と吸着チャージャ３７との間に搬送される。
【００８９】
吸着チャージャ３７によって用紙Ｐに電荷を付加することで、それぞれ用紙Ｐと定着搬送ベルト３５は、誘電分極が起こる。この誘電分極によって、用紙Ｐは定着搬送ベルト３５上に静電吸着する。
【００９０】
定着駆動ローラ３３の駆動によって、用紙Ｐは、レーザ照射エリア１０に搬送される。用紙Ｐ上には、未定着トナー像４０が担持されている。
【００９１】
レーザヘッドＬ１は、用紙Ｐ上の未定着トナー像４０にレーザ光を照射する。レーザ光の熱により定着が行われる。
【００９２】
レーザ照射エリア１０においてトナー像の定着が行われた後、用紙Ｐは、定着搬送ベルト３５に静電吸着された状態で分離チャージャ３０と定着駆動ローラ３３との間に搬送される。
【００９３】
定着駆動ローラ３３は、導電性材料で構成され、且つ接地されている。従って、分離チャージャ３０により、用紙Ｐの除電を行って定着搬送ベルト３５と用紙Ｐとの間の静電吸着力を弱める。
【００９４】
静電吸着力を弱めた状態で、定着搬送ベルト３５は、定着駆動ローラ３３の駆動により搬送される。定着搬送ベルト３５は、大きな曲率を有するため、用紙Ｐの先端部は定着搬送ベルト３５から浮く。さらに、分離爪３２によって用紙Ｐは、完全に定着搬送ベルト３５から分離する。
【００９５】
用紙Ｐが剥離された定着搬送ベルト３５は、除電チャージャ３４により外面および内面が除電された後、再び用紙Ｐの吸着位置に駆動される。
【００９６】
次に、本実施形態に係るレーザヘッド（レーザ照射手段）Ｌ１を、図２〜４を用いて詳細に説明する。
【００９７】
レーザヘッド（レーザ照射手段）Ｌ１は、定着搬送ベルト３５上のレーザ照射エリア１０に搬送された記録媒体（用紙Ｐ）に担持された未定着トナー像４０にレーザ光を照射し、トナー像を記録媒体に定着させる。
【００９８】
レーザヘッド（レーザ照射手段）Ｌ１は、図２、図３に示すように、複数のレーザ素子１１（半導体レーザアレイ）、放熱板９（ヒートシンク）、複数の凸レンズ８、レンズホルダー７と、フォトダイオード２と、シリコン基板３、ワイヤーボンド線４、表面電極５、およびセラミック基板６、レーザ制御回路（図示せず）を備えている。
【００９９】
本実施形態に係る放熱板９（ヒートシンク）は、アルミニウム合金で構成されている。また放熱板９（ヒートシンク）は、熱抵抗は１６℃／Ｗものを１０個１列に並べて、総熱抵抗を０．１６℃／Ｗとしているが、これに限定されない。
【０１００】
図３に示すように、各レーザ素子１１の近傍に受光素子（フォトダイオード２）を配設して、レーザ素子１１の発光量を検出し、フォトダイオード２の検出した発光量をレーザヘッドＬ１内のレーザ制御回路（図示せず）にフィードバックして、各レーザ素子１１の光量の出力を可変し、または一定にするという制御を行う。
【０１０１】
レーザ制御回路、フォトダイオード２は、一体に形成（モノリシック）され、シリコン基板３を構成し、さらにレーザ素子１１がマウントされる。レーザ素子１１とシリコン基板３は、ワイヤーボンド線４で電気的に接続される。
【０１０２】
またレーザ素子１１がマウントされたシリコン基板３を、セラミックで構成するセラミック基板６上に複数個配置する。複数のシリコン基板３の電極（図示せず）とセラミック基板６の表面電極５とは、ワイヤーボンディング等により電気的に接続される。
【０１０３】
集光光学系の複数の凸レンズ８は、レンズホルダー７に配設される。各レーザ素子１１から出射されたレーザ光は、対応する凸レンズ８を通過し、レーザ照射エリア１０上の用紙Ｐに照射される。
【０１０４】
以上のように、レーザヘッドＬ１は、レーザ素子１１がマウントされた複数のシリコン基板３が並べられたセラミック基板６と、放熱板９（ヒートシンク）と、複数の凸レンズ８が配設されたレンズホルダー７とによって構成されている。
【０１０５】
レーザヘッドＬ１において、各凸レンズ８を樹脂で構成されるホルダーに組み込むよりも、樹脂によるレンズ−レンズホルダー一体成形品や平板ガラスをレンズ状にイオン交換して製造される平板マイクロレンズ等のレンズアレイであることが好ましい。また、集光光学系の複数の凸レンズ８を省き、レーザ光が平行の状態で未定着トナー像４０に照射される形態も可能である。
【０１０６】
次に、異なるサイズの用紙に対する複数のレーザ素子の配置間隔（配列ピッチ）について説明する。
【０１０７】
図３に示すように、第１の実施形態において、所定のサイズの用紙（例えば、Ａ４サイズの用紙）上の未定着トナー像を定着する場合と、所定のサイズより小さいサイズの用紙（例えば、Ｂ５サイズの用紙）上の未定着トナー像とを定着する場合に、共通して使用される複数のレーザ素子は、１列状に配列された複数のレーザ素子の中で列の中央に位置するレーザ素子（図３で示す共通領域Ｗ１のレーザ素子）である。
【０１０８】
また、所定のサイズの用紙と所定のサイズより小さいサイズの用紙とが共有しない部分上にある未定着トナー像（Ａ４サイズとＢ５サイズの用紙が重ならない部分上の未定着トナー像）を定着する場合に、複数のレーザ素子は、１列状に配置された複数のレーザ素子の中で列の端のレーザ素子（図３で示す領域Ｘ１，Ｘ２のレーザ素子）である。つまり領域Ｘ１およびＸ２（以下、非共通領域Ｘ１，Ｘ２と称す）のレーザ素子は、所定のサイズの用紙のみの定着に使用される。
【０１０９】
所定のサイズの用紙と所定のサイズより小さいサイズの用紙に対し共通して使用され、レーザ素子列の中央の領域（以下、共通領域Ｗ１と称す）に配設されているレーザ素子は、波長７８０ｍｍのレーザ光を出射し、隣接するレーザ素子間の配列ピッチＰ１は、０．１５ｍｍである。また各レーザ素子において、定格出力は１５０ｍＷであり、レーザ照射エリア１０上のレーザスポット径ｄ１は、０．３ｍｍである。
【０１１０】
一方、所定のサイズの用紙のみに使用され、レーザ素子列の端の領域（非共通領域Ｘ１、Ｘ２）に配設されているレーザ素子は、波長７８０ｍｍのレーザ光を出射し、隣接するレーザ素子間の配列ピッチＰ１は、０．３ｍｍである。また各レーザ素子において、定格出力は１５０ｍＷであり、レーザ照射エリア１０上のレーザスポット径ｄ２は、０．３ｍｍである。
【０１１１】
第１の実施形態において、前記共通領域Ｗ１のレーザ素子の定格出力は、非共通領域Ｘ１、Ｘ２のレーザ素子の定格出力の半分の値、７５ｍＷになるように制御する。
【０１１２】
このように共通領域Ｗ１のレーザ素子は、所定のサイズの用紙と所定のサイズより小さいサイズの用紙に対し共通して使用されるため劣化が生じやすい。しかし共通領域Ｗ１のレーザ素子の出力は、非共通領域Ｘ１、Ｘ２のレーザ素子の出力の半分になるように制御されるので、定格の出力で使用するよりも劣化は少なく、レーザ素子の製品寿命を延ばすことができる。
【０１１３】
また、各々のレーザ素子の自己発熱も、定格の出力でした場合に比べて、少なくなり次自己発熱による劣化が緩和されレーザ素子の製品寿命を延ばすことができる。
【０１１４】
例えば、Ｂ５サイズの用紙を縦送りする際の用紙搬送方向に直交する方向の用紙幅を小サイズとし、Ａ４サイズの用紙を縦送りする際の用紙搬送方向に直交する方向の用紙幅を普通サイズした場合、Ａ４サイズとＢ５サイズとの共通領域は、幅１８２ｍｍである。この幅１８２ｍｍにおいて、定着に使用されるレーザ素子の総数は１６０６個に及ぶ。上記の制御を行うことで、多くのレーザ素子の劣化を遅らせることができる。
＜第２の実施形態＞
【０１１５】
次に、本発明の第２の実施形態について、図６および図７を用いて、詳細に説明する。図６は、本発明の第２の実施形態に係るレーザヘッド部の正面図である。図７は、本発明の第２の実施形態に係るレーザヘッド部の上面図である。尚、本発明の第２の実施形態に係る定着装置において、レーザヘッドの構成を除いた他の構成要素は、第１の実施形態を同じであることから、レーザヘッド以外の構成要素の説明は省略する。
【０１１６】
第２の実施形態に係るレーザヘッドＬ４は、図６、図７に示すように、複数のレーザ素子１１ａ（半導体レーザアレイ）、放熱板９ａ（ヒートシンク）、複数の凸レンズ８ａ、レンズホルダー７ａと、フォトダイオード２ａと、シリコン基板３ａ、ワイヤーボンド線４ａ、表面電極５ａ、およびセラミック基板６ａ、レーザ制御回路（図示せず）を備えている。
【０１１７】
図６に示すように、各レーザ素子１１ａの近傍に受光素子（フォトダイオード２ａ）を配設して、レーザ素子１１ａの発光量を検出し、フォトダイオード２ａの検出した発光量をレーザヘッドＬ４内のレーザ制御回路（図示せず）にフィードバックして、各レーザ素子１１ａの光量の出力を可変し、または一定にするという制御を行う。
【０１１８】
レーザ制御回路、フォトダイオード２ａは、一体に形成（モノリシック）され、シリコン基板３ａを構成し、さらにレーザ素子１１ａがマウントされる。レーザ素子１１ａとシリコン基板３ａは、ワイヤーボンド線４ａで電気的に接続される。
【０１１９】
またレーザ素子１１ａがマウントされたシリコン基板３ａを、セラミックで構成するセラミック基板６ａ上に複数個配置する。第２の実施形態では、図７に示すように、セラミック基板６a上の複数のレーザ素子は、共通領域Ｗ２において、定着搬送ベルト３５の長手方向に２列を成すように配置され、レーザ素子の第１列Ｆ１と第２列Ｆ２とが構成される。
【０１２０】
また、図７に示すように、共通領域Ｗ２の第１列Ｆ１のレーザ素子と第２列Ｆ２のレーザ素子との配列ピッチＰ３は、非共通領域Ｘ３、Ｘ４の第１列Ｆ１のレーザ素子の配列ピッチＰ４、Ｐ５と異なる。尚、第２の実施形態では、第１列Ｆ１のレーザ素子間の中間点を第２列のレーザ素子から出射されるレーザ光の中心軸が通るように配置されているが、これに限定されない。
【０１２１】
複数のシリコン基板３ａの電極（図示せず）とセラミック基板６ａの表面電極５ａとは、ワイヤーボンディング等により電気的に接続される。
【０１２２】
集光光学系の複数の凸レンズ８ａは、レンズホルダー７ａに配設される。各レーザ素子１１ａから出射されたレーザ光は、対応する凸レンズ８ａを通過し、レーザ照射エリア１０ａ上の用紙Ｐに照射される。
【０１２３】
以上のように、レーザヘッドＬ４は、レーザ素子１１ａがマウントされた複数のシリコン基板３ａが複数の列上に並べて配置されたセラミック基板６ａと、放熱板９ａ（ヒートシンク）と、複数の凸レンズ８ａが配設されたレンズホルダー７ａとによって構成されている。
【０１２４】
図６に示すように、所定のサイズの用紙上の未定着トナー像を定着する場合と、所定のサイズより小さいサイズの用紙上の未定着トナー像とを定着する場合とに、共通して使用される複数のレーザ素子は、セラミック基板６ａの中央に位置（共通領域Ｗ２）する。従って、第２の実施形態において、図７に示すように、共通領域Ｗ２のレーザ素子を２列（第１列Ｆ１，および第２列Ｆ２）にして構成している。
【０１２５】
また、所定のサイズの用紙と所定のサイズより小さいサイズの用紙とが共有しない部分上にある未定着トナー像を定着する場合の複数のレーザ素子は、セラミック基板６ａの両端に位置（非共通領域Ｘ３、Ｘ４）する。図７に示すように、非共通領域Ｘ３、Ｘ４のレーザ素子は、１列（第１列Ｆ１）にして構成されている。
【０１２６】
第２の実施形態において、所定のサイズの用紙と所定のサイズより小さいサイズの用紙に対し共通して使用され、セラミック基板６ａの中央の位置（共通領域Ｗ２）に配設されている第１列Ｆ１および第２列Ｆ２のレーザ素子は、波長７８０ｍｍのレーザ光を出射し、
第１列Ｆ１および第２列Ｆ２のレーザ素子間の配列ピッチＰ３は、０．１５ｍｍである。また各レーザ素子において、定格出力は１５０ｍＷであり、レーザ照射エリア１０ａ上のレーザスポット径ｄ３は、０．３ｍｍである。
【０１２７】
また、共通領域Ｗ２において、第１列Ｆ１および第２列Ｆ２のレーザ素子１１ａの連続点灯時間Ｔｏｎ１を、１０ｘ１０−３秒とし、消灯時間Ｔｏｆｆ１を２０ｘ１０−３秒とする。
【０１２８】
一方、所定のサイズの用紙のみに使用され、第１列Ｆ１のレーザ素子列の端の領域（非共通領域Ｘ３、Ｘ４）に配設されているレーザ素子は、波長７８０ｍｍのレーザ光を出射し、第１列Ｆ１の隣接するレーザ素子間の配列ピッチＰ４は、０．３ｍｍである。また各レーザ素子において、定格出力は１５０ｍＷであり、レーザ照射エリア１０ａ上のレーザスポット径ｄ４は、０．３ｍｍである。
【０１２９】
また、非共通領域Ｘ３，Ｘ４において、第１列Ｆ１のレーザ素子１１ａの連続点灯時間Ｔｏｎ２を、２０ｘ１０−３秒とし、消灯時間Ｔｏｆｆ２を２０ｘ１０−３秒とする。
【０１３０】
第２の実施形態において、前記共通領域Ｗ２の第１列Ｆ１および第２列Ｆ２のレーザ素子の連続点灯時間Ｔｏｎ１は、非共通領域Ｘ３、Ｘ４の第１列Ｆ１のレーザ素子の連続点灯時間Ｔｏｎ２の（Ｐ３／Ｐ４）倍（第２実施形態では半分の値）になるように制御する。
【０１３１】
共通領域Ｗ２のレーザ素子は、所定のサイズの用紙と所定のサイズより小さいサイズの用紙に対し共通して使用されるため劣化が生じやすい。しかし、共通領域Ｗ２の第１列Ｆ１および第２列Ｆ２のレーザ素子の配列ピッチＰ３は、第１列Ｆ１の隣接するレーザ素子間の配列ピッチＰ４よりも略半分になるように配置されているので、共通領域Ｗ２の第１列Ｆ１および第２列Ｆ２のレーザ素子の連続点灯時間Ｔｏｎ１は、非共通領域Ｘ３、Ｘ４の第１列Ｆ１のレーザ素子の連続点灯時間Ｔｏｎ２より短くすることができる。従って、共通領域Ｗ２おけるレーザ素子の自己発熱を必要最小限に制御することが可能となり、自己発熱よる劣化が緩和されレーザ素子の製品寿命を延ばすことができる。
【符号の説明】
【０１３２】
１  定着装置
２  フォトダイオード
３  シリコン基板
４  ワイヤーボンド線
５  表面電極
６  セラミック基板
７  レンズホルダー
８  凸レンズ
９  ヒートシンク
１０  レーザ照射部
１１  レーザ素子
１００  画像形成装置
Ｌ１  レーザヘッド
Ｌ２  用紙搬送装置
【図１】
2011085785.tif 000003
【図２】
2011085785.tif 000004
【図３】
2011085785.tif 000005
【図４】
2011085785.tif 000006
【図５】
2011085785.tif 000007
【図６】
2011085785.tif 000008
【図７】
2011085785.tif 000009